(57)【要約】      （修正有）【課題】デスク面の下に収納可能な仕切り板を設けた、昇降可能な多機能ライティングデスクを提供する。【解決手段】デスク板１１を含み、前記デスク板の中には上下に貫通している仕切り板チャンバ２３が設置され、前記仕切り板チャンバの中には回転装置が設置され、前記仕切り板チャンバの左右両側の内壁の中には下方へ開口したスライダチャンバ２２が対称的に設置され、前記スライダチャンバの中には昇降装置が設置され、左側の前記スライダチャンバの後側内壁の中には動力装置が設置され、本発明は構成が簡単で、操作が便利で、仕切り板２４を上げることができ、比較的に閉鎖的な勉強や仕事の環境を提供し、個人のプライバシーも保護でき、しかも仕切り板をデスク面の下に収納でき、また個人の需要に応じてデスク面を昇降させることができ、使い心地を良くし、安全性を保証するために、デスク面の昇降と仕切り板の収納を同時に行うことができない。【選択図】図１
2020182776.tif 000002
【特許請求の範囲】
【請求項１】
正面視で、デスク板を含み、前記デスク板の中には上下に貫通している仕切り板チャンバが設置され、前記仕切り板チャンバの中には回転装置が設置され、前記仕切り板チャンバの左右両側の内壁の中には下方へ開口したスライダチャンバが対称的に設置され、前記スライダチャンバの中には昇降装置が設置され、左側の前記スライダチャンバの後側内壁の中には動力装置が設置され、前記動力装置は左側の前記スライダチャンバの後側内壁の中に設置された伝動チャンバを含み、前記伝動チャンバの中には後ギヤが回転できるように設置され、前記後ギヤの後端にはモータ軸が固定的に連結され、前記伝動チャンバの後側内壁の中にはモータが固定的に設置され、前記モータ軸が前記モータに動力が伝達できるように連結され、前記後ギヤの左端には左ギヤが噛み合うことができるように設置され、前記左ギヤの前端には前ギヤが噛み合うことができるように設置され、前記左ギヤの中には連結軸が回転できるように連結され、前記連結軸の右端には右ギヤが回転できるように連結され、前記右ギヤの後端が前記後ギヤと噛み合うことができ、前記右ギヤが前記前ギヤと噛み合わなく、前記連結軸の左端が外部空間に伸びており、且つ前記連結軸の左端には手動ブロックが固定的に連結され、前記前ギヤの前端には短軸が固定的に連結され、前記短軸の前端には左プーリが固定的に連結され、前記伝動チャンバの右側内壁の中には横向きベルトチャンバが連通するように設置され、前記横向きプーリチャンバの中には右プーリが回転できるように設置され、前記左プーリと前記右プーリとの間には横向きベルトが連結され、前記伝動チャンバの右側内壁の中には縦向きベルトチャンバが設置され、前記縦向きベルトチャンバが前記横向きベルトチャンバに連通しており、前記右ギヤの右端にはカンチレバーが固定的に連結され、前記カンチレバーの右端が前記縦向きベルトチャンバの中に伸びており、且つ前記カンチレバーの右端にはスライドギヤが固定的に連結され、前記スライドギヤの左側には後プーリが回転できるように設置され、前記後プーリの中には噛み合い溝が左右に貫通しているように設置され、前記スライドギヤが前記噛み合い溝により前記後プーリと噛み合うことができ、前記後プーリの下側には前プーリが回転できるように設置され、前記前プーリと前記後プーリとの間には縦向きベルトが連結され、
前記動力装置はそれぞれ前記昇降装置と前記回転装置とを駆動することができ、安全性を保証するために、前記昇降装置と前記回転装置とが同時に起動することができないことを特徴とする多機能ライティングデスク。
【請求項２】
前記昇降装置は前記スライダチャンバの前後内壁の間に回転できるように連結されたネジロッドを含み、左側の前記ネジロッドの後端が前記左プーリに固定的に連結され、右側の前記ネジロッドの後端が前記右プーリに固定的に連結され、前記スライダチャンバの中にはスライドできるスライダが前後対称的に設置され、前記スライダの上端が前記スライダチャンバの上側内壁に当接しており、前記スライダが前記ネジロッドにネジ山により連結され、前後両側の前記スライダと前記ネジロッドとの間のネジ山の方向が逆であり、前記スライダの下端には上揺れロッドがヒンジにより連結され、前後両側の前記上揺れロッドの間がそれぞれ左右に千鳥状に配置され、前記上揺れロッドの中には上連通溝が左右に貫通しているように設置され、左右に千鳥状に配置された前記上連通溝の間には上スライドロッドが回転できるように、且つスライドできるように連結され、前記上揺れロッドの下端には中間ロッドがヒンジにより連結され、前記中間ロッドの中には中間溝が左右に貫通しているように設置され、左右に千鳥状に配置された前記中間溝の間には中間スライドロッドが回転できるように、且つスライドできるように連結され、前記中間ロッドの下端には下揺れロッドがヒンジにより連結され、前記下揺れロッドの中には下連通溝が左右に貫通しているように設置され、左右に千鳥状に配置された前記下連通溝の間には下スライドロッドが回転できるように、且つスライドできるように連結され、前記下揺れロッドの下端には支持脚がヒンジにより連結され、左右両側の前記支持脚の間にはコンロッドが固定的に連結され、
前記昇降装置は前記デスク板を昇降させることができ、三つのヒンジによる連結を通じて昇降の幅を広げることを特徴とする請求項１に記載の多機能ライティングデスク。
【請求項３】
前記回転装置は前記仕切り板チャンバの中に回転できるように設置された仕切り板を含み、前記仕切り板の中には長軸が固定的に連結され、前記長軸の左端が前記縦向きベルトチャンバの中に伸びており、且つ前記前プーリに固定的に連結され、前記仕切り板の中には作動チャンバが設置され、前記作動チャンバは前方へ開口しており、且つ上方へ開口しており、前記作動チャンバの後側内壁には保護カバーが固定的に設置され、前記保護カバーの中には前方へ開口したパソコンチャンバが設置され、
前記回転装置は前記仕切り板を上げること又は収納することができることを特徴とする請求項２に記載の多機能ライティングデスク。
【発明の詳細な説明】
【技術分野】
【０００１】
本発明は文具分野を取り上げて、具体的には多機能ライティングデスクである。
【背景技術】
【０００２】
勉強又は仕事をする時、人々はライティングデスクを使用し、時々仕事が原因で、プライバシーを保護するために、ライティングデスクの周りに仕切り板を取り付け、しかし、仕切り板を取り付けることはデスク面のスペースを取り、デスク面の空間が混雑しているように見え、時々勉強や仕事にも影響し、そのため、仕切り板を収納でき、且つ昇降できる多機能ライティングデスクを設計することが実に必要であり、本装置は仕切り板を上げることができ、比較的に閉鎖的な勉強や仕事の環境を提供し、個人のプライバシーも保護でき、しかも仕切り板をデスク面の下に収納でき、他の空間を取ることを避け、また個人の需要に応じてデスク面を昇降させることができ、使い心地を良くし、安全性を保証するために、デスク面の昇降と仕切り板の収納を同時に行うことができない。
【先行技術文献】
【特許文献】
【０００３】
【特許文献１】中国特許出願公開第１０９４３１０８５号明細書
【発明の概要】
【発明が解決しようとする課題】
【０００４】
本発明は多機能ライティングデスクを提供し、従来技術における上記問題を解決することを目的とする。
【課題を解決するための手段】
【０００５】
本発明は以下の技術プランを通じて実現される：本発明の多機能ライティングデスクは、デスク板を含み、前記デスク板の中には上下に貫通している仕切り板チャンバが設置され、前記仕切り板チャンバの中には回転装置が設置され、前記仕切り板チャンバの左右両側の内壁の中には下方へ開口したスライダチャンバが対称的に設置され、前記スライダチャンバの中には昇降装置が設置され、左側の前記スライダチャンバの後側内壁の中には動力装置が設置され、前記動力装置は左側の前記スライダチャンバの後側内壁の中に設置された伝動チャンバを含み、前記伝動チャンバの中には後ギヤが回転できるように設置され、前記後ギヤの後端にはモータ軸が固定的に連結され、前記伝動チャンバの後側内壁の中にはモータが固定的に設置され、前記モータ軸が前記モータに動力が伝達できるように連結され、前記後ギヤの左端には左ギヤが噛み合うことができるように設置され、前記左ギヤの前端には前ギヤが噛み合うことができるように設置され、前記左ギヤの中には連結軸が回転できるように連結され、前記連結軸の右端には右ギヤが回転できるように連結され、前記右ギヤの後端が前記後ギヤと噛み合うことができ、前記右ギヤが前記前ギヤと噛み合わなく、前記連結軸の左端が外部空間に伸びており、且つ前記連結軸の左端には手動ブロックが固定的に連結され、前記前ギヤの前端には短軸が固定的に連結され、前記短軸の前端には左プーリが固定的に連結され、前記伝動チャンバの右側内壁の中には横向きベルトチャンバが連通するように設置され、前記横向きプーリチャンバの中には右プーリが回転できるように設置され、前記左プーリと前記右プーリとの間には横向きベルトが連結され、前記伝動チャンバの右側内壁の中には縦向きベルトチャンバが設置され、前記縦向きベルトチャンバが前記横向きベルトチャンバに連通しており、前記右ギヤの右端にはカンチレバーが固定的に連結され、前記カンチレバーの右端が前記縦向きベルトチャンバの中に伸びており、且つ前記カンチレバーの右端にはスライドギヤが固定的に連結され、前記スライドギヤの左側には後プーリが回転できるように設置され、前記後プーリの中には噛み合い溝が左右に貫通しているように設置され、前記スライドギヤが前記噛み合い溝により前記後プーリと噛み合うことができ、前記後プーリの下側には前プーリが回転できるように設置され、前記前プーリと前記後プーリとの間には縦向きベルトが連結され、
前記動力装置はそれぞれ前記昇降装置と前記回転装置とを駆動することができ、安全性を保証するために、前記昇降装置と前記回転装置とが同時に起動することができない。
【０００６】
更の技術プランとしては、前記昇降装置は前記スライダチャンバの前後内壁の間に回転できるように連結されたネジロッドを含み、左側の前記ネジロッドの後端が前記左プーリに固定的に連結され、右側の前記ネジロッドの後端が前記右プーリに固定的に連結され、前記スライダチャンバの中にはスライドできるスライダが前後対称的に設置され、前記スライダの上端が前記スライダチャンバの上側内壁に当接しており、前記スライダが前記ネジロッドにネジ山により連結され、前後両側の前記スライダと前記ネジロッドとの間のネジ山の方向が逆であり、前記スライダの下端には上揺れロッドがヒンジにより連結され、前後両側の前記上揺れロッドの間がそれぞれ左右に千鳥状に配置され、前記上揺れロッドの中には上連通溝が左右に貫通しているように設置され、左右に千鳥状に配置された前記上連通溝の間には上スライドロッドが回転できるように、且つスライドできるように連結され、前記上揺れロッドの下端には中間ロッドがヒンジにより連結され、前記中間ロッドの中には中間溝が左右に貫通しているように設置され、左右に千鳥状に配置された前記中間溝の間には中間スライドロッドが回転できるように、且つスライドできるように連結され、前記中間ロッドの下端には下揺れロッドがヒンジにより連結され、前記下揺れロッドの中には下連通溝が左右に貫通しているように設置され、左右に千鳥状に配置された前記下連通溝の間には下スライドロッドが回転できるように、且つスライドできるように連結され、前記下揺れロッドの下端には支持脚がヒンジにより連結され、左右両側の前記支持脚の間にはコンロッドが固定的に連結され、
前記昇降装置は前記デスク板を昇降させることができ、三つのヒンジによる連結を通じて昇降の幅を広げる。
【０００７】
更の技術プランとしては、前記回転装置は前記仕切り板チャンバの中に回転できるように設置された仕切り板を含み、前記仕切り板の中には長軸が固定的に連結され、前記長軸の左端が前記縦向きベルトチャンバの中に伸びており、且つ前記前プーリに固定的に連結され、前記仕切り板の中には作動チャンバが設置され、前記作動チャンバは前方へ開口しており、且つ上方へ開口しており、前記作動チャンバの後側内壁には保護カバーが固定的に設置され、前記保護カバーの中には前方へ開口したパソコンチャンバが設置され、
前記回転装置は前記仕切り板を上げること又は収納することができる。
【発明の効果】
【０００８】
本発明の有益効果は：本発明は構成が簡単で、操作が便利で、仕切り板を上げることができ、比較的に閉鎖的な勉強や仕事の環境を提供し、個人のプライバシーも保護でき、しかも仕切り板をデスク面の下に収納でき、他の空間を取ることを避け、また個人の需要に応じてデスク面を昇降させることができ、使い心地を良くし、安全性を保証するために、デスク面の昇降と仕切り板の収納を同時に行うことができない。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の多機能ライティングデスクの内部構成模式図
【図２】図２は図１の「Ａ−Ａ」方向の構成模式図
【図３】図３は図１の「Ｂ−Ｂ」方向の構成模式図
【図４】図４は図１の「Ｃ−Ｃ」方向の構成模式図
【図５】図５は図３の「Ｄ」の拡大模式図
【図６】図６は図５の「Ｅ−Ｅ」方向の構成模式図
【発明を実施するための形態】
【００１１】
図１〜６を参照し、本発明の多機能ライティングデスクは、デスク板１１を含み、前記デスク板１１の中には上下に貫通している仕切り板チャンバ２３が設置され、前記仕切り板チャンバ２３の中には回転装置１０２が設置され、前記仕切り板チャンバ２３の左右両側の内壁の中には下方へ開口したスライダチャンバ２２が対称的に設置され、前記スライダチャンバ２２の中には昇降装置１０１が設置され、左側の前記スライダチャンバ２２の後側内壁の中には動力装置１００が設置され、前記動力装置１００は左側の前記スライダチャンバ２２の後側内壁の中に設置された伝動チャンバ３５を含み、前記伝動チャンバ３５の中には後ギヤ３４が回転できるように設置され、前記後ギヤ３４の後端にはモータ軸３７が固定的に連結され、前記伝動チャンバ３５の後側内壁の中にはモータ３６が固定的に設置され、前記モータ軸３７が前記モータ３６に動力が伝達できるように連結され、前記後ギヤ３４の左端には左ギヤ３９が噛み合うことができるように設置され、前記左ギヤ３９の前端には前ギヤ３３が噛み合うことができるように設置され、前記左ギヤ３９の中には連結軸３８が回転できるように連結され、前記連結軸３８の右端には右ギヤ４５が回転できるように連結され、前記右ギヤ４５の後端が前記後ギヤ３４と噛み合うことができ、前記右ギヤ４５が前記前ギヤ３３と噛み合わなく、前記連結軸３８の左端が外部空間に伸びており、且つ前記連結軸３８の左端には手動ブロック４４が固定的に連結され、前記前ギヤ３３の前端には短軸４０が固定的に連結され、前記短軸４０の前端には左プーリ３１が固定的に連結され、前記伝動チャンバ３５の右側内壁の中には横向きベルトチャンバ４１が連通するように設置され、前記横向きプーリチャンバ４１の中には右プーリ４３が回転できるように設置され、前記左プーリ３１と前記右プーリ４３との間には横向きベルト３２が連結され、前記伝動チャンバ３５の右側内壁の中には縦向きベルトチャンバ４６が設置され、前記縦向きベルトチャンバ４６が前記横向きベルトチャンバ４１に連通しており、前記右ギヤ４５の右端にはカンチレバー５０が固定的に連結され、前記カンチレバー５０の右端が前記縦向きベルトチャンバ４６の中に伸びており、且つ前記カンチレバー５０の右端にはスライドギヤ４８が固定的に連結され、前記スライドギヤ４８の左側には後プーリ４７が回転できるように設置され、前記後プーリ４７の中には噛み合い溝４９が左右に貫通しているように設置され、前記スライドギヤ４８が前記噛み合い溝４９により前記後プーリ４７と噛み合うことができ、前記後プーリ４７の下側には前プーリ５１が回転できるように設置され、前記前プーリ５１と前記後プーリ４７との間には縦向きベルト５２が連結され、
前記動力装置１００はそれぞれ前記昇降装置１０１と前記回転装置１０２とを駆動することができ、安全性を保証するために、前記昇降装置１０１と前記回転装置１０２とが同時に起動することができない。
【００１２】
有益的には、前記昇降装置１０１は前記スライダチャンバ２２の前後内壁の間に回転できるように連結されたネジロッド１３を含み、左側の前記ネジロッド１３の後端が前記左プーリ３１に固定的に連結され、右側の前記ネジロッド１３の後端が前記右プーリ４３に固定的に連結され、前記スライダチャンバ２２の中にはスライドできるスライダ１２が前後対称的に設置され、前記スライダ１２の上端が前記スライダチャンバ２２の上側内壁に当接しており、前記スライダ１２が前記ネジロッド１３にネジ山により連結され、前後両側の前記スライダ１２と前記ネジロッド１３との間のネジ山の方向が逆であり、前記スライダ１２の下端には上揺れロッド１４がヒンジにより連結され、前後両側の前記上揺れロッド１４の間がそれぞれ左右に千鳥状に配置され、前記上揺れロッド１４の中には上連通溝１５が左右に貫通しているように設置され、左右に千鳥状に配置された前記上連通溝１５の間には上スライドロッド２８が回転できるように、且つスライドできるように連結され、前記上揺れロッド１４の下端には中間ロッド１６がヒンジにより連結され、前記中間ロッド１６の中には中間溝１７が左右に貫通しているように設置され、左右に千鳥状に配置された前記中間溝１７の間には中間スライドロッド２９が回転できるように、且つスライドできるように連結され、前記中間ロッド１６の下端には下揺れロッド１８がヒンジにより連結され、前記下揺れロッド１８の中には下連通溝１９が左右に貫通しているように設置され、左右に千鳥状に配置された前記下連通溝１９の間には下スライドロッド３０が回転できるように、且つスライドできるように連結され、前記下揺れロッド１８の下端には支持脚２０がヒンジにより連結され、左右両側の前記支持脚２０の間にはコンロッド２１が固定的に連結され、
前記昇降装置１０１は前記デスク板１１を昇降させることができ、三つのヒンジによる連結を通じて昇降の幅を広げる。
【００１３】
有益的には、前記回転装置１０２は前記仕切り板チャンバ２３の中に回転できるように設置された仕切り板２４を含み、前記仕切り板２４の中には長軸４２が固定的に連結され、前記長軸４２の左端が前記縦向きベルトチャンバ４６の中に伸びており、且つ前記前プーリ５１に固定的に連結され、前記仕切り板２４の中には作動チャンバ２７が設置され、前記作動チャンバ２７は前方へ開口しており、且つ上方へ開口しており、前記作動チャンバ２７の後側内壁には保護カバー２５が固定的に設置され、前記保護カバー２５の中には前方へ開口したパソコンチャンバ２６が設置され、
前記回転装置１０２は前記仕切り板２４を上げること又は収納することができる。
【００１４】
初期状態において、作動チャンバ２７は下方へ開口しており、且つ前方へ開口している。
【００１５】
使用する時、仕切り板２４を上げる時、手動ブロック４４を推し動かし、更に連結軸３８により左ギヤ３９と右ギヤ４５とを連動させ、これにより左ギヤ３９が後ギヤ３４と前ギヤ３３から離脱し、同時に右ギヤ４５を後ギヤ３４と噛み合わせ、同時に右ギヤ４５がカンチレバー５０によりスライドギヤ４８を連動させてスライドさせ、更にスライドギヤ４８が噛み合い溝４９の中に入って後プーリ４７と噛み合うように連結され、この時、モータ３６を始動し、更にモータ軸３７により後ギヤ３４を連動させて回転させ、更に右ギヤ４５と、カンチレバー５０と、スライドギヤ４８とにより後プーリ４７を連動させて回転させ、更に縦向きベルト５２により前プーリ５１を連動させて回転させ、更に長軸４２により仕切り板２４を連動させて作動チャンバ２７が上方へ開口し、且つ前方へ開口するまで回転させ、この時、モータ３６を停止し、デスク板１１を昇降させる時、手動ブロック４４を推し動かし、これにより左ギヤ３９が同時に後ギヤ３４と前ギヤ３３と噛み合い、この時、右ギヤ４５が後ギヤ３４との噛み合いから離脱し、この時、モータ３６を始動し、更に後ギヤ３４を連動させて回転させ、更に左ギヤ３９と、前ギヤ３３と、短軸４０とにより左プーリ３１を連動させて回転させ、更に横向きベルト３２により右プーリ４３を連動させ、左プーリ３１と右プーリ４３とが両側のネジロッド１３を同時に連動させて回転させ、更に前後両側のスライダ１２を連動させて互いに近づく又は互いに離れるようにスライドさせ、更に上揺れロッド１４と、中間ロッド１６と、下揺れロッド１８と、支持脚２０とによりデスク板１１を連動させて昇降させ、コンロッド２１が左右両側の支持脚２０を安定させて倒れることを防止し、三つのヒンジによる連結を通じて昇降の幅を広げ、安全性を保証するために、前記昇降装置１０１と前記回転装置１０２とが同時に起動することができない。
【００１６】
本発明の有益効果は：本発明は構成が簡単で、操作が便利で、仕切り板を上げることができ、比較的に閉鎖的な勉強や仕事の環境を提供し、個人のプライバシーも保護でき、しかも仕切り板をデスク面の下に収納でき、他の空間を取ることを避け、また個人の需要に応じてデスク面を昇降させることができ、使い心地を良くし、安全性を保証するために、デスク面の昇降と仕切り板の収納を同時に行うことができない。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182776.tif 000003
【図２】
2020182776.tif 000004
【図３】
2020182776.tif 000005
【図４】
2020182776.tif 000006
【図５】
2020182776.tif 000007
【図６】
2020182776.tif 000008
【手続補正書】
【提出日】令和1年11月11日(2019.11.11)
【手続補正１】
【補正対象書類名】図面
【補正対象項目名】図５
【補正方法】変更
【補正の内容】
【図５】
2020182776.tif 000009